(57)【要約】【課題】演算負荷が軽減された鉄道車両の挙動模擬装置及び挙動模擬方法を提供する。【解決手段】車体１１０及び台車枠１２１，１２２等の構造体をバネ要素及びダンパ要素を介在させて接続する車体支持装置１１１，１１２を有する鉄道車両の挙動模擬装置１を、車体の分散モデルを用いて車体の挙動等を演算する車体挙動演算手段３３と、構造体の分散モデルを用いて構造体の挙動を演算する構造体挙動演算手段３１，３２と、車体挙動演算手段が演算した車体支持装置のバネ要素の反力及びダンパ要素の減衰力に基づいて車体支持装置から構造体への作用力を演算して構造体挙動演算手段に提供する情報集約手段２０１，２０２と、構造体挙動演算手段が演算した構造体の状態量を元に複数の車体支持装置の取付部に関する変位及び速度をそれぞれ演算してこれを車体挙動演算手段に提供する情報配信手段２０１，２０２とを備える構成とする。【選択図】図８
2010223677.tif 000002
【特許請求の範囲】
【請求項１】
車体と、
前記車体に対して軌道側に相対変位可能に装着される構造体と、
前記車体及び前記構造体をバネ要素及びダンパ要素を介在させて接続する支持装置と
を有する鉄道車両の挙動模擬装置であって、
前記車体の分散モデルを用いて前記車体の挙動及び前記支持装置の前記バネ要素の反力及び前記ダンパ要素の減衰力を演算する車体挙動演算手段と、
前記構造体の分散モデルを用いて前記構造体の挙動を演算する構造体挙動演算手段と、
前記車体挙動演算手段が演算した前記支持装置の前記バネ要素の反力及び前記ダンパ要素の減衰力に基づいて前記車体支持装置から前記構造体への作用力を演算して前記構造体挙動演算手段に提供する情報集約手段と、
前記構造体挙動演算手段が演算した前記構造体の状態量を元に複数の前記支持装置の取付部に関する変位及び速度をそれぞれ演算してこれを前記車体挙動演算手段に提供する情報配信手段と
を備えることを特徴とする鉄道車両の挙動模擬装置。
【請求項２】
前記構造体は、複数のバネ要素及びダンパ要素を介在させて複数の輪軸を支持する台車枠であり、
前記支持装置は車体に設けられ前記台車枠が取り付けられる車体支持装置であること
を特徴とする請求項１に記載の鉄道車両の挙動模擬装置。
【請求項３】
前記情報集約手段は、前記車体支持装置から前記台車枠の重心へ入力される並進力及びモーメントを前記構造体挙動演算手段に提供し、
前記情報配信手段は、前記台車枠の重心の変位及び速度を元に複数の前記車体支持装置の取付部に関する変位及び速度をそれぞれ演算してこれを前記車体挙動演算手段に提供すること
を特徴とする請求項２に記載の鉄道車両の挙動模擬装置。
【請求項４】
前記車体挙動演算手段及び前記構造体挙動演算手段は、中央処理装置及び記憶手段をそれぞれ有し、広帯域通信手段を介して相互に接続されること
を特徴とする請求項１から請求項３までのいずれか１項に記載の鉄道車両の挙動模擬装置。
【請求項５】
予め準備された軌道データに応じて加振可能な軌条輪上に実車を設置して走行状態を再現する実車台上試験装置と、
前記実車台上試験装置に設置された前記実車に連結され、前記車体挙動演算手段が演算した仮想車両の連結部における挙動を再現するとともに、前記実車側からの入力を検出する車体間運動模擬装置とを備え、
前記車体挙動演算手段は、前記車体間運動模擬装置から取得した前記実車側からの入力を用いてリアルタイムで演算を行うこと
を特徴とする請求項１から請求項４までのいずれか１項に記載の鉄道車両の挙動模擬装置。
【請求項６】
予め静的に演算された前記仮想車両の前記実車と反対側に連結される連結仮想車両の挙動履歴データを蓄積する記録手段を備え、
前記車体挙動演算手段は、前記記録手段に蓄積された挙動履歴データに基づく連結仮想車両からの入力を用いて演算を行うこと
を特徴とする請求項５に記載の鉄道車両の挙動模擬装置。
【請求項７】
車体と、
前記車体に対して軌道側に相対変位可能に装着される構造体と、
前記車体及び前記構造体をバネ要素及びダンパ要素を介在させて接続する支持装置と
を有する鉄道車両の挙動模擬方法であって、
前記車両の運動モデルを、少なくとも前記車体の分散モデル及び前記構造体の分散モデルを含む複数の分散モデルに分散化する分散化モデル作成ステップと、
前記車体の分散モデルを用いて前記車体の挙動及び前記支持装置の前記バネ要素の反力及び前記ダンパ要素の減衰力を演算する車体挙動演算ステップと、
前記構造体の分散モデルを用いて前記構造体の挙動を演算する構造体挙動演算ステップと、
前記車体挙動演算手段が演算した前記支持装置の前記バネ要素の反力及び前記ダンパ要素の減衰力に基づいて前記車体挙動演算手段から前記構造体への作用力を演算して前記構造体挙動演算手段に提供する情報集約ステップと、
前記構造体挙動演算手段が演算した前記構造体の状態量を元に複数の前記支持装置の取付部に関する変位及び速度をそれぞれ演算してこれを前記車体挙動演算手段に提供する情報配信ステップと
を備えることを特徴とする鉄道車両の挙動模擬方法。
【発明の詳細な説明】
【技術分野】
【０００１】
本発明は、鉄道車両の挙動模擬装置及び挙動模擬方法に関し、特に、編成車両中で走行中の任意車両の挙動を実車台上試験によって模擬するものに関する。
【背景技術】
【０００２】
従来より編成状態で走行している複数の車両のうち任意車両の挙動を計算機を用いた運動シミュレーションによって解析することが提案されている。この場合において、計算結果の妥当性を検証するためには、実車を走行させた際のデータとの比較検証が必要となる。
しかし、鉄道車両用の試験専用線はほとんど存在しないことから、このような実車試験は多くの場合営業線を用いて行わざるを得ず、クリティカルな条件下の試験は行うことが難しく、試験条件が限定されたものとなるため、検証が不十分となるおそれがある。
【０００３】
一方、実車両を用いて軌道からの入力を模した加振等が可能なベンチ車両試験台を用いることも知られている。ベンチ車両試験台は、例えば、レールを回転円盤に置き換えて、その上に前後方向に拘束した車両を載せて走行状態を模擬するものである。
このようなベンチ車両試験台においては、単車状態での実車両の運動特性評価は可能であるが、編成状態で走行中の運動特性については把握することが困難である。
【０００４】
これに対して、本願発明の発明者は、ソフトウェアによるシミュレータと、評価対象のハードウェアとを組み合わせてリアルタイムシミュレーションを実行するＨＩＬＳ（Hardware In the Loop Simulation）システムを構築し、より実走行に近い試験環境の実現を図ることを提案している。
このＨＩＬＳシステムは、ベンチ車両試験台を用いて編成車両を含めて実走行を忠実に再現することを狙いとしたものであり、台上に設置した実車両に対して前後に連結される仮想車両の運動をシミュレーションし、シミュレーション結果をベンチ車両試験台に設けられた車体間運動模擬装置と連動させるものである。ＨＩＬＳシステムを用いた場合、対象物の少なくとも一部を実物で扱うため、実物部分のモデル化やその検証にかかるコスト、工数が軽減される。また、複数の試作品を開発、テストする場合には、実物を必要数用意すればよい。
従来、例えば非特許文献１には、車両試験台に設置された実車の両端部に、リアルタイムシミュレータによって演算される仮想車両からの入力を再現する車体間運動模擬装置を設けたＨＩＬＳシステムが記載されている。
【先行技術文献】
【非特許文献】
【０００５】
【非特許文献１】「鉄道車両研究へのＨＩＬＳシステムの応用」佐々木君章著  鉄道総研報告Ｖｏｌ．２０，Ｎｏ．６  ２００６年６月  財団法人鉄道総合技術研究所刊
【発明の概要】
【発明が解決しようとする課題】
【０００６】
上述したようなＨＩＬＳシステムを実現するためには、車体間運動模擬装置によって再現される仮想車両の挙動をリアルタイムシミュレーションする必要がある。しかし、鉄道車両に含まれる構造体、バネ要素、ダンパ等の各要素数は多く、かつその相関関係が複雑であることから、リアルタイムシミュレーションの演算負荷は非常に大きなものになってしまう。
上述した問題に鑑み、本発明の課題は、演算負荷が軽減された鉄道車両の挙動模擬装置及び挙動模擬方法を提供することである。
【課題を解決するための手段】
【０００７】
上記の課題を解決するため、本発明の鉄道車両の挙動模擬装置は、車体と、前記車体に対して軌道側に相対変位可能に装着される構造体と、前記車体及び前記構造体をバネ要素及びダンパ要素を介在させて接続する支持装置とを有する鉄道車両の挙動模擬装置であって、前記車体の分散モデルを用いて前記車体の挙動及び前記支持装置の前記バネ要素の反力及び前記ダンパ要素の減衰力を演算する車体挙動演算手段と、前記構造体の分散モデルを用いて前記構造体の挙動を演算する構造体挙動演算手段と、前記車体挙動演算手段が演算した前記支持装置の前記バネ要素の反力及び前記ダンパ要素の減衰力に基づいて前記車体支持装置から前記構造体への作用力を演算して前記構造体挙動演算手段に提供する情報集約手段と、前記構造体挙動演算手段が演算した前記構造体の状態量を元に複数の前記支持装置の取付部に関する変位及び速度をそれぞれ演算してこれを前記車体挙動演算手段に提供する情報配信手段とを備えることを特徴とする。
これによれば、車両運動モデルを構造体の上下で分散化することによって、各分散モデルの演算を実行するノードの演算負荷を軽減できる。また、車体挙動演算手段と構造体挙動演算手段との間でやりとりされるデータ量を、車体側から構造体への重心に対する作用力及び構造体の重心に関する状態量に集約することによって、ノード間の通信負荷を軽減できる。
【０００８】
この場合、前記構造体は、複数のバネ要素及びダンパ要素を介在させて複数の輪軸を支持する台車枠であり、前記支持装置は車体に設けられ前記台車枠が取り付けられる車体支持装置である構成とすることができる。
さらに、この場合、前記情報集約手段は、前記車体支持装置から前記台車枠の重心へ入力される並進力及びモーメントを前記構造体挙動演算手段に提供し、前記情報配信手段は、前記台車枠の重心の変位及び速度を元に複数の前記車体支持装置の取付部に関する変位及び速度をそれぞれ演算してこれを前記車体挙動演算手段に提供する構成とすることができる。
また、本発明において、前記車体挙動演算手段及び前記構造体挙動演算手段は、中央処理装置及び記憶手段をそれぞれ有し、広帯域通信手段を介して相互に接続される構成とすることができる。
【０００９】
また、本発明において、予め準備された軌道データに応じて加振可能な軌条輪上に実車を設置して走行状態を再現する実車台上試験装置と、前記実車台上試験装置に設置された前記実車に連結され、前記車体挙動演算手段が演算した仮想車両の連結部における挙動を再現するとともに、前記実車側からの入力を検出する車体間運動模擬装置とを備え、前記車体挙動演算手段は、前記車体間運動模擬装置から取得した前記実車側からの入力を用いてリアルタイムで演算を行う構成とすることができる。
これによれば、実車が組み込まれたＨＩＬＳシステムを構成することによって、より実走行に近い試験環境の実現を図ることができる。
【００１０】
この場合、予め静的に演算された前記仮想車両の前記実車と反対側に連結される連結仮想車両の挙動履歴データを蓄積する記録手段を備え、前記車体挙動演算手段は、前記記録手段に蓄積された挙動履歴データに基づく連結仮想車両からの入力を用いて演算を行う構成とすることができる。
これによれば、編成全体をリアルタイムシミュレーションするような膨大な演算負荷が生じることがないため、比較的簡素な装置構成によって長編成の挙動模擬を行うことができる。
【００１１】
また、本発明の鉄道車両の挙動模擬方法は、車体と、前記車体に対して軌道側に相対変位可能に装着される構造体と、前記車体及び前記構造体をバネ要素及びダンパ要素を介在させて接続する支持装置とを有する鉄道車両の挙動模擬方法であって、前記車両の運動モデルを、少なくとも前記車体の分散モデル及び前記構造体の分散モデルを含む複数の分散モデルに分散化する分散化モデル作成ステップと、前記車体の分散モデルを用いて前記車体の挙動及び前記支持装置の前記バネ要素の反力及び前記ダンパ要素の減衰力を演算する車体挙動演算ステップと、前記構造体の分散モデルを用いて前記構造体の挙動を演算する構造体挙動演算ステップと、前記車体挙動演算手段が演算した前記支持装置の前記バネ要素の反力及び前記ダンパ要素の減衰力に基づいて前記車体挙動演算手段から前記構造体への作用力を演算して前記構造体挙動演算手段に提供する情報集約ステップと、前記構造体挙動演算手段が演算した前記構造体の状態量を元に複数の前記支持装置の取付部に関する変位及び速度をそれぞれ演算してこれを前記車体挙動演算手段に提供する情報配信ステップとを備えることを特徴とする。
【発明の効果】
【００１２】
以上のように、本発明によれば、演算負荷が軽減された鉄道車両の挙動模擬装置及び挙動模擬方法を提供することができる。
【図面の簡単な説明】
【００１３】
【図１】本発明を適用した鉄道車両の挙動模擬装置及び挙動模擬方法の実施の形態におけるＨＩＬＳ構成を示す図である。
【図２】実施の形態におけるモデルとライブラリの構成を示す図である。
【図３】実施の形態の輪軸の例における構造体ブロックの基本構造を示す図である。
【図４】実施の形態の軸バネの例における機能ブロックの基本構造を示す図である。
【図５】実施の形態における車両運動モデル（１両モデル）を示す図である。
【図６】実施の形態における集約ブロックを用いて分散化した車両運動モデルを示す図である。
【図７】実施の形態における集約ブロックの基本構造を示す図である。
【図８】本実施の形態における鉄道車両の挙動模擬装置のシステム構成を示す模式図である。
【図９】実施の形態におけるＨＩＬＳ編成時の実車両の挙動を示すグラフである。
【図１０】長編成の場合におけるＨＩＬＳ構成を示す模式図である。
【発明を実施するための形態】
【００１４】
以下、図面を参照しつつ、本発明の実施の形態に係る鉄道車両の挙動模擬装置及び挙動模擬方法について説明する。
本実施の形態は、ＨＩＬＳ（Hardware In the Loop Simulation）により鉄道車両編成の各車両の挙動を模擬するものである。
図１は、本実施の形態におけるＨＩＬＳ構成を示す図である。
本実施の形態においては、例えば、進行方向前方側から１，２，３・・Ｍ号車を有するＭ両編成の挙動を模擬する。そして、編成中のＮ号車として試験台に設置された実車を用いて挙動模擬を行い、仮想１号車から仮想Ｎ−１号車、及び、仮想Ｎ＋１号車から仮想Ｍ号車は、車両運動モデルを用いたシミュレーションによって挙動を演算する。
【００１５】
また、仮想車両のシミュレーションにおいては、全ての仮想車両をリアルタイムで演算すると演算負荷がきわめて高くなることから、Ｎ号車に直接連結された仮想Ｎ−１号車、及び、仮想Ｎ＋１号車の挙動のみリアルタイムで演算し、その他の車両の挙動は、図示しない静的挙動模擬手段を用いた既存の静的シミュレーションによって予め演算したものを用いるようにしている。
【００１６】
以下、本実施の形態におけるＨＩＬＳ用車両運動モデルの構築について説明する。
車両運動シミュレーションをリアルタイムに実行するには大きな演算能力が必要であり、現状の演算能力では１つのＣＰＵによって１両モデルの運動計算を負荷するのは困難である。そこで、本実施の形態においては、複数のシミュレータを相互に広帯域の光ケーブルでリンクすることによって、計算負荷を分散する構成を採用した。
【００１７】
このような分散された構成を適用するためには、１両モデルが車体、台車、及び、輪軸といった単位に容易に分割できることが要求される。また、空気バネ、ダンパといった要素部品についても個別に分割しライブラリ化することで、より多くの車両部品を組み合わせた検証が容易に実現できる。
そこで、本実施の形態においては、上述した分割された各要素を、それぞれが入出力機能と動特性を持つシミュレーションプログラム（以下、ブロックと称する）として分割、管理する構成をとっている。
【００１８】
図２は、実施の形態におけるモデルとライブラリの構成を示す図である。
図２に示すように、モデル化の対象となる車両１００は、車体１１０、１位台車枠１２１、２位台車枠１２２、輪軸１３１〜１３４等を有し、車体１１０と各台車枠１２１，１２２との間、及び、各台車枠１２１，１２２と各輪軸１３１〜１３４との間には、複数のバネ、ダンパ要素が設けられている。
また、ライブラリは、これらの車体、ダンパ、台車枠、輪軸等の要素ごとにそれぞれ設けられている。
【００１９】
また、本実施の形態において、ＨＩＬＳ用車両モデル構築の要件を満たし、またシミュレータとして使用するハードウェア側の対応状況を考慮して、ブロックダイアグラム形式によるプログラミングを特徴とするMatlab/Simulinkを用いて車両運動モデルを構築した。
Matlab/Simulinkの特徴として、出力信号に対する演算内容をブロック線図で記述することができ、処理機能別にユーザが自由にブロック単位でまとめることが可能なことがあげられる。また、Ｃ言語プログラムの自動生成が可能であり、シミュレータへのモデル実装が容易である。
【００２０】
本実施の形態において、車両モデルをブロック単位で構成するにあたり、機能別に以下のような種別を設定した。
（１）構造体ブロック
構造体とは、車体、台車枠、輪軸といった、質量及び慣性モーメントを持ち、各着力点から並進力及び回転モーメントを受ける要素を示すものとする。構造体ブロック内は、外部にある各機能ブロックから発生した力を各構造体の重心に対する並進力、モーメントに変換する６×６の係数行列（以下、「影響度行列」と称する）、力から質点の加速度を算出する質量ゲインブロック、積分器、重心の変位及び速度から寸法情報に基づいて各着力点の変位及び速度を算出する１２×１２の係数行列（以下、「着点変換行列」と称する）等を有して構成されている。
図３は、輪軸の例における構造体ブロックの基本構造を示す図である。
【００２１】
（２）機能ブロック
機能ブロックは、バネ、ダンパ等の構造体どうしを結合し、変位・速度入力に対して内力を発生する要素をブロック化したものである。
図４は、軸バネの例における機能ブロックの基本構造を示す図である。図４に示すように、ブロック内は、剛性行列、減衰行列などを有して構成されている。
なお、車輪とレールとの間で発生するクリープ力もこの機能ブロックに含まれる。
【００２２】
（３）外乱ブロック
外乱ブロックは、遠心力、重力復元力など構造体ブロックに対して外力として作用する要素をブロック化したものである。
【００２３】
車両の運動モデルは以上説明したブロックの組み合わせによって構成され、６自由度の変位（ｘ，ｙ，ｚ，φ，θ，ψ）、速度ベクトル（ｄｘ／ｄｔ，ｄｙ／ｄｔ，ｄｚ／ｄｔ，ｄφ／ｄｔ，ｄθ／ｄｔ，ｄψ／ｄｔ）と、６方向の並進力（Ｆｘ，Ｆｙ，Ｆｚ）、モーメント（Ｍｘ，Ｍｙ，Ｍｚ）ベクトルが各モデル内を流れることになる。
【００２４】
本実施の形態では、ＨＩＬＳ用車両モデルの一例として、在来線試験車両を対象としたものを用いる。このモデルにおいて、各部のバネ、ダンパは、従来シミュレーションモデルで使用されてきた線形モデルにより構成している。
図５は、車両運動モデル（１両モデル）を示す図である。
また、図５において使用している自由度の記号を表１に示す。自由度は、実車両の動きを忠実に再現するために、車体６自由度、台車枠６自由度、輪軸３自由度で構成している。
【表１】
2010223677.tif 000003
【００２５】
車両１００は、レールに相当する軌条輪上に設置され、車体１１０は前後方向に対して地上側に固定された後述する車体間運動模擬装置２０に連結器を介して固定される。
このような車両１００のモデルは、車体、台車枠、輪軸の各構造体ブロックに対して、バネ、ダンパ、クリープ力の各機能ブロック及び重力復元力の外乱ブロックを接続して構成されている。
【００２６】
上述した車両モデルを用いて車両挙動をシミュレートした場合、シミュレータ内を例えば２５６ベクトルが流れることになり、ＨＩＬＳシステム内でリアルタイムシミュレーションを行う場合には演算負荷が極めて大きいものになってしまう。
これに対し、車両モデルを例えば車体と台車とで分割し、分散処理を図る場合であっても、車体と台車をそれぞれシミュレートするシミュレータ（ノード）間の通信負荷が大きなものとなってしまう。
そこで、本実施の形態においては、以下説明する集約ブロックを用いて、ノード間でやりとりされるベクトルの集約化を行い、演算負荷及びノード間通信負荷の軽減を図っている。
【００２７】
図６は、集約ブロックを用いて分散化した車両運動モデルを示す図である。
図７は、集約ブロックの基本構造を示す図である。
第１集約ブロック２０１は、車体１１０の下部に設けられる１位車体支持装置１１１と、１位台車枠１２１との間で伝達される各ベクトルの集約化を行うものである。
第２集約ブロック２０２は、車体１１０の下部に設けられる２位車体支持装置１１２と、２位台車枠１２２との間で伝達される各ベクトルの集約化を行うものである。
これらの集約ブロックは、本発明にいう情報集約手段及び情報配信手段として機能する。各情報集約手段及び情報配信手段の機能は、後述する第１〜第３シミュレータ３１〜３３に適宜割り当てられる。
【００２８】
図７に示すように、集約ブロック２０１，２０２は、車体支持装置１１１，１１２に設けられた機能要素である左右動ダンパ１、左右動ダンパ２、ヨーダンパ１、ヨーダンパ２、空気バネ１、空気バネ２、牽引装置等のバネ力、ダンパ力と、６×６の影響度行列とを用いて、台車枠１２１，１２２の重心に作用する並進力及びモーメントを演算する。
また、集約ブロック２０１，２０２は、台車枠１２１，１２２の重心の変位及び速度と、１２×１２の着点変換行列を用いて、上述した各バネ、ダンパの着点変位及び速度を演算する。
【００２９】
その結果、図６に示すように、本実施の形態においては、集約ブロックから台車枠重心伝達される台車枠重心への並進力、モーメントが６ベクトル、台車枠重心から集約ブロックに伝達される台車枠重心の変位、速度が１２ベクトルとなって、１つの台車あたり１８ベクトル、１車両あたり３６ベクトルまで各ノード間でやりとりされる情報を集約することが可能となった。
【００３０】
図８は、挙動模擬装置のシステム構成を示す模式図である。なお、図８においては、実車よりも仮想編成の進行方向前方側の構成のみを図示するが、実車の後方側にも実質的に同様の構成が設けられる。
挙動模擬装置１は、車両１００が設置される台上試験装置１０、車両１００の連結部（妻部）に連結される車体間運動模擬装置２０、第１シミュレータ３１、第２シミュレータ３２、第3シミュレータ３３、コンソールＰＣ４０、ハブ５０等を備えて構成されている。
【００３１】
台上試験装置１０は、車両１００の軌道上における走行状態を実車を用いて模擬する装置である。台上試験装置１０は、車両１００の輪軸１３１〜１３４がそれぞれ載せられる軌条輪を備えている。この軌条輪は、車両の走行速度に応じた速度で回転されるとともに、例えば実際の営業線におけるデータを採取して生成され予め蓄積された軌道不整データに基づいて、上下、左右、ロール方向にそれぞれ加振可能となっている。
【００３２】
また、台上試験装置１０には、配電盤１１、軌道データサーバ１２が設けられている。
配電盤１１は、台上試験装置１０を駆動する各種アクチュエータに供給させる電力を統括的に制御するものである。
軌道データサーバ１２は、軌道不整データを蓄積したデータベース、シェアードメモリ等の記憶手段、Ｄ／Ａコンバータ及びＡ／Ｄコンバータを含む入出力インターフェイス等を備えている。
【００３３】
車体間運動模擬装置（車体間運動模擬装置）２０は、連結部における進行方向前側車両の車体妻面の挙動を模擬する装置である。
車体間運動模擬装置２０は、車両１００の連結部に連結される連結部を備えている。この連結部は、固定設置された基部に対してリンク機構等によって変位可能に支持され、車両１００に対して、連結器や車体間ヨーダンパ等を用いて、実車両による編成の連結部と同様に連結されている。
車体間運動模擬装置２０は、第３シミュレータ３３がリアルタイムで演算した仮想車両の車体挙動に基づいて、仮想車両の連結部の変位及び速度を再現するように、複数のアクチュエータによって駆動される。これによって、車両１００は、あたかも実車による編成中に配置された場合と同様の入力を受ける。
また、車体間運動模擬装置２０は、車両１００から連結部に入力される並進力及びモーメントを検出するセンサを備えている。
【００３４】
また、車体間運動模擬装置２０は、装置を統括的に制御するコントローラ２１を備えている。コントローラ２１は、ＣＰＵ等の情報処理装置、シェアードメモリ等の記憶装置、Ｄ／Ａコンバータ及びＡ／Ｄコンバータを含む入出力インターフェイス等を備えている。
【００３５】
第１シミュレータ３１、第２シミュレータ３２、第３シミュレータ３３は、それぞれ１位台車、２位台車、車体の分散モデルを実時間で演算する分散型のリアルタイムシミュレータである。これらはそれぞれＣＰＵ等の情報処理装置、メインメモリ及びシェアードメモリ等の記憶装置等を備えている。
これらの第１シミュレータ３１、第２シミュレータ３２、第３シミュレータ３３は、それぞれ分散化された車両運動モデルを演算するノードとして機能する。
【００３６】
コンソールＰＣ４０は、オペレータが挙動模擬装置１の操作を入力する入力卓として機能する。
ハブ５０は、上述した軌道データサーバ１２、車体間運動模擬装置２０のコントローラ２１、第１〜第３シミュレータ３１〜３３、コンソールＰＣ４０等を、広帯域通信が可能なイーサネット（富士ゼロックス株式会社の登録商標）によって接続し、相互に通信可能とするものである。
【００３７】
以下、上述した本実施の形態の効果について説明する。
図９は、ＨＩＬＳ編成時の実車両の挙動を示すグラフである。
この場合、仮想編成は２両編成であって、その後尾車両である２号車を実車を用いて模擬している。また、軌道不整データとして実際の在来線の営業線で取得したデータを用い、この軌道上を走行速度１３０ｋｍ／ｈで走行する場合の車両挙動模擬を行っている。
図９において、各グラフの縦軸は上段から車体ロール角、車体ヨー角、通り不整をそれぞれ示し、横軸は時間を示している。また、ＨＩＬＳを用い２両編成のデータを実線で示し、実車のみの単車でのデータを破線で示している。
図９に示すように、本実施の形態によれば、実車が編成中に組み込まれたことによる単車状態との挙動の差が散見され、単車条件とは異なった編成中特有の車両挙動を模擬可能であることがわかる。
【００３８】
次に、このＨＩＬＳシステムを用いて３両編成以上の仮想編成の車両挙動を模擬する方法について説明する。
例えば新幹線の１６両編成のうち、任意の１両として実車を用い、その他の１５両全てをリアルタイムシミュレーションによって挙動模擬することは、演算負荷やノード間の通信負荷の観点から、現状では仮想車両１両あたり３台のシミュレータが必要となり、高コストとなる。
そこで、本実施の形態においては、実車両（Ｎ号車）の直前、直後のＮ−１号車及びＮ＋１号車のみを、上述したリアルタイムシミュレータを用いてリアルタイムにシミュレートし、その前後の車両（１号車からＮ−２号車、及び、Ｎ＋２号車からＭ号車（後尾車））については、予め静的解法によって求めた車両模擬データを用いている。
図１０は、長編成の場合におけるＨＩＬＳ構成を示す模式図である。
【００３９】
この場合、先ず１号車からＭ号車までの編成全体について、静的シミュレーションによって予め車両挙動を模擬し、その履歴を蓄積しておく。
そして、このような静的解法によって求めたＮ−２号車のＮ−１号車側連結部の挙動、及び、Ｎ＋２号車のＮ＋１号車側連結部の挙動を、それぞれＮ−１号車及びＮ＋１号車の車体挙動を演算するリアルタイムシミュレータに与え、上述したようなＨＩＬＳによる挙動模擬を行う。
【００４０】
以上説明したように、本実施の形態によれば、鉄道車両の運動モデルを車体支持装置と台車枠との間で分散化し、各ノード間でやりとりされる情報を台車枠重心への並進力及びモーメントに集約し、台車枠重心の変位及び速度を元に複数の車体支持装置の取付部に関する変位及び速度をそれぞれ演算してこれを車体挙動演算手段に提供する集約ブロックを設けたことによって、車体モデル及び台車モデルをそれぞれ演算する各ノードの演算負荷を軽減するとともに、これらの各ノード間の通信負荷も軽減できる。
また、実車の前後に連結される一部の仮想車両のみリアルタイムシミュレーションによって車両挙動を模擬し、さらにその前後に連結される仮想車両の挙動は予め静的解法で演算したものを用いることによって、長編成の場合であっても演算負荷及びノード間通信負荷を軽減できる。
【００４１】
（他の実施の形態）
なお、本発明は上記した実施の形態のみに限定されるものではなく、種々の応用や変形が考えられる。例えば、上記実施の形態を応用した次の各形態を実施することもできる。
（１）車両運動モデルの詳細な構成や、分散化する場合の分割位置や個数は上述した実施の形態に限定されず、適宜変更することができる。
（２）車両挙動模擬装置の詳細な構成は適宜変更することができる。例えば、車体間運動模擬装置は、リンク機構を用いたものに限らず、例えば６軸モーションベースを有するもの等、適宜変更することができる。
（３）本実施の形態の構成においては、実車を１両用い、その前後各１両の仮想車両をリアルタイムシミュレーションしているが、装置の能力に余裕があれば、例えば２両以上の実車をハードウェアとしてＨＩＬＳシステムに組み込んだり、実車の前後の複数車両をリアルタイムシミュレーションによって挙動模擬するようにしてもよい。また、編成中において実車を用いる箇所も実施の形態のような中間車両に限定されず、例えば先頭車や後尾車を実車によって模擬するようにしてもよい。
（４）本実施の形態においては、リアルタイムシミュレータを構成する各ノードを広帯域の光ファイバーチャンネルによって接続しているが、本発明はこのような構成に限定されず、例えば、複数のＣＰＵ及びこれに連結されたメインメモリを、広帯域の信号をカバーする上り下り専用レーンを有するポイント・トゥ・ポイント型リンクによって連結したハイパートランスポート（ＡＭＤ社の商標）等を用いてもよい。
【符号の説明】
【００４２】
１    挙動模擬装置            １０    台上試験装置
１１    配電盤                  １２    軌道データサーバ
２０    車体間運動模擬装置      ２１    コントローラ
３１    第１シミュレータ        ３２    第２シミュレータ
３３    第３シミュレータ        ４０    コンソールＰＣ
５０    ハブ
１００    車両                  １１０    車体
１１１    １位車体支持装置      １１２    ２位車体支持装置
１２１    １位台車枠            １２２    ２位台車枠
１３１〜１３４    輪軸
２０１    第１集約ブロック        ２０２    第２集約ブロック
【図１】
2010223677.tif 000004
【図２】
2010223677.tif 000005
【図３】
2010223677.tif 000006
【図４】
2010223677.tif 000007
【図５】
2010223677.tif 000008
【図６】
2010223677.tif 000009
【図７】
2010223677.tif 000010
【図８】
2010223677.tif 000011
【図９】
2010223677.tif 000012
【図１０】
2010223677.tif 000013